(57)【要約】【課題】  レーザ制御基板から放射される放射ノイズを抑制させるためにノイズ遮蔽部材などを追加すると、装置が大型化してしまう可能性があるという課題があった。【解決手段】  第１の発光手段と、第２の発光手段と、複数の辺からなり、夫々の辺に複数の端子を備える制御手段と、前記第１の発光手段と前記制御手段を接続するための第１の配線パターンが接続される第１の端子群と、前記第２の発光手段と前記制御手段を接続するための第２の配線パターンが接続される第２の端子群と、を備え、前記第１の端子群は、前記複数の辺のうち前記第１の発光手段に最も近い第１の辺に備えられ、前記第２の端子群は、前記複数の辺のうち前記第２の発光手段に最も近い第２の辺に備えられることを特徴とする光学装置。【選択図】  図４
2019009393.tif 000002
【特許請求の範囲】
【請求項１】
第１の発光手段と、
第２の発光手段と、
複数の辺からなり、夫々の辺に複数の端子を備える制御手段と、
前記第１の発光手段と前記制御手段を接続するための第１の配線パターンが接続される第１の端子群と、
前記第２の発光手段と前記制御手段を接続するための第２の配線パターンが接続される第２の端子群と、
を備え、
前記第１の端子群は、前記複数の辺のうち前記第１の発光手段に最も近い第１の辺に備えられ、
前記第２の端子群は、前記複数の辺のうち前記第２の発光手段に最も近い第２の辺に備えられることを特徴とする光学装置。
【請求項２】
前記第１の端子群は、前記第１の辺に備えられた複数の端子のうち、前記第１の発光手段に最も近い端子を含み、
前記第２の端子群は、前記第２の辺に備えられた複数の端子のうち、前記第２の発光手段に最も近い端子を含むことを特徴とする請求項１に記載の光学装置。
【請求項３】
前記第１の発光手段と前記第２の発光手段とを結ぶ仮想線と、前記第１の辺及び前記第２の辺は平行ではないことを特徴とする請求項１又は２に記載の光学装置。
【請求項４】
前記第１の辺と前記第２の辺は隣り合う辺であり、前記第１の辺と前記第２の辺は第１の角をなし、
前記第１の端子群は、前記第１の辺に備えられた複数の端子のうち、前記第１の角に最も近い端子を含み、
前記第２の端子群は、前記第２の辺に備えられた複数の端子のうち、前記第１の角に最も近い端子を含むことを特徴とする請求項１乃至３のいずれか１項に記載の光学装置。
【請求項５】
前記第１の辺と前記第２の辺は隣り合う辺であり、前記第１の辺と前記第２の辺は第１の角をなし、
前記第１の辺に備えられた複数の端子のうち、前記第１の角に最も近い端子は、前記制御手段をグランドにつなぐ端子であり、
前記第２の辺に備えられた複数の端子のうち、前記第１の角に最も近い端子は、前記制御手段をグランドにつなぐ端子であることを特徴とする請求項１乃至３のいずれか１項に記載の光学装置。
【請求項６】
前記第１の発光手段とは接続しない第３の配線パターンが接続される、前記第１の辺に備えられた第３の端子群と、
前記第２の発光手段とは接続しない第４の配線パターンが接続される、前記第２の辺に備えられた第４の端子群と、
を備えることを特徴とする請求項１乃至５のいずれか１項に記載の光学装置。
【請求項７】
前記第１の発光手段と前記第１の端子群との距離は、前記第１の発光手段と前記第３の端子群との距離よりも近く、
前記第２の発光手段と前記第２の端子群との距離は、前記第２の発光手段と前記第４の端子群との距離よりも近いことを特徴とする請求項６に記載の画像形成装置。
【請求項８】
前記第１の端子群は、前記第１の発光手段と前記制御手段を結ぶ垂線と前記第１の辺との交点に最も近い端子を含み、
前記第２の端子群は、前記第２の発光手段と前記制御手段を結ぶ垂線と前記第２の辺との交点に最も近い端子を含むことを特徴とする請求項１乃至７のいずれか１項に記載の光学装置。
【請求項９】
第３の発光手段と、
第４の発光手段と、
前記第３の発光手段と前記制御手段を接続するための第５の配線パターンが接続される第５の端子群と、
前記第４の発光手段と前記制御手段を接続するための第６の配線パターンが接続される第２の端子群と、
を備え、
前記第５の端子群は、前記複数の辺のうち前記第３の発光手段に最も近い第３の辺に備えられ、
前記第６の端子群は、前記複数の辺のうち前記第４の発光手段に最も近い第４の辺に備えられることを特徴とする請求項１乃至８のいずれか１項に記載の光学装置。
【請求項１０】
前記第３の発光手段とは接続しない第７の配線パターンが接続される、前記第３の辺に備えられた第７の端子群と、
前記第４の発光手段とは接続しない第８の配線パターンが接続される、前記第４の辺に備えられた第８の端子群と、
を備えることを特徴とする請求項９に記載の光学装置。
【請求項１１】
前記第３の発光手段と前記第５の端子群との距離は、前記第３の発光手段と前記第７の端子群との距離よりも近く、
前記第４の発光手段と前記第６の端子群との距離は、前記第４の発光手段と前記第８の端子群との距離よりも近いことを特徴とする請求項１０に記載の光学装置。
【請求項１２】
前記第３の辺と前記第４の辺は隣り合う辺であり、前記第３の辺と前記第４の辺は第２の角をなし、
前記第５の端子群は、前記第３の辺に備えられた複数の端子のうち、前記第２の角に最も近い端子を含み、
前記第６の端子群は、前記第４の辺に備えられた複数の端子のうち、前記第２の角に最も近い端子を含むことを特徴とする請求項９に記載の光学装置。
【請求項１３】
第１の発光手段と、
第２の発光手段と、
第３の発光手段と、
第４の発光手段と、
複数の辺からなり、夫々の辺に複数の端子を備える第１の制御手段と、
複数の辺からなり、夫々の辺に複数の端子を備える第２の制御手段と、
前記第１の発光手段と前記第１の制御手段を接続するための第１の配線パターンが接続される第１の端子群と、
前記第２の発光手段と前記第１の制御手段を接続するための第２の配線パターンが接続される第２の端子群と、
前記第３の発光手段と前記第２の制御手段を接続するための第３の配線パターンが接続される第３の端子群と、
前記第４の発光手段と前記第２の制御手段を接続するための第４の配線パターンが接続される第４の端子群と、
を備え、
前記第１の端子群は、前記第１の制御手段の複数の辺のうち前記第１の発光手段に最も近い第１の辺に備えられ、
前記第２の端子群は、前記第１の制御手段の複数の辺のうち前記第２の発光手段に最も近い第２の辺に備えられ、
前記第３の端子群は、前記第２の制御手段の複数の辺のうち前記第３の発光手段に最も近い第３の辺に備えられ、
前記第４の端子群は、前記第２の制御手段の複数の辺のうち前記第４の発光手段に最も近い第４の辺に備えられることを特徴とする光学装置。
【請求項１４】
第１の発光手段と、
第２の発光手段と、
複数の辺からなり、夫々の辺に複数の端子を備える制御手段と、
前記第１の発光手段と前記制御手段を接続するための第１の配線パターンが接続される第１の端子群と、
前記第２の発光手段と前記制御手段を接続するための第２の配線パターンが接続される第２の端子群と、を備え、
前記第１の端子群は、前記制御手段の複数の角のうち、前記第１の発光手段に最も近い角をなす第１の辺及び第２の辺に配置され、
前記第２の端子群は、前記制御手段の複数の角のうち、前記第２の発光手段に最も近い角をなす前記第２の辺及び第３の辺に配置されることを特徴とする光学装置。
【請求項１５】
請求項１乃至１４のいずれか１項に記載の光学装置と、
前記光学装置から発光された光により静電潜像が形成される感光体と、
前記感光体に形成された静電潜像をトナーにより現像する現像手段と、を備えることを特徴とする画像形成装置。
【発明の詳細な説明】
【技術分野】
【０００１】
本発明は、主に電子写真プロセスを用いたレーザビームプリンタ、複写機、ファクシミリ等の画像形成装置に関する。特に、画像形成に使用する光ビームを照射する光学装置に関するものである。
【背景技術】
【０００２】
電子写真方式のカラー画像形成装置では、レーザ等の光ビームを照射することで、帯電された複数の感光ドラム上に静電潜像を形成する。そして、現像器により静電潜像を各色のトナーで現像することで、感光ドラム上にトナー画像を形成する。各感光ドラムに形成されたトナー画像が転写され、重ね合わされることにより多色のトナー画像となりカラー画像の形成を行う。
【０００３】
このようなカラー画像形成装置において、光ビームの生成手段は、以下のような部材を備えている。光ビーム制御基板上に配置された光ビームを出射するレーザダイオード、レーザダイオードを発光させるための駆動電流を制御する制御手段、レーザダイオードから出射した光ビームを感光ドラム面上に結像させるためのレンズ。また、折り返しミラーや、ポリゴンミラー等を含む光学部品。光ビーム生成手段は、コントローラ等から送信される画像信号に基づいて、レーザダイオードを高速スイッチングさせることにより、感光ドラム上に静電潜像を形成する。
【０００４】
レーザダイオードを高速スイッチングさせると、光ビーム制御基板上のレーザダイオードに駆動電流が流れることによる高強度の放射ノイズが光ビーム制御基板から放射されることが一般的に知られている。放射ノイズの対策として、特許文献１においては、光ビーム制御基板上におけるレーザダイオードとレーザ制御ＩＣの配置構成、及び光ビーム制御基板から放射される放射ノイズの低減手法についての技術開示がされている。レーザ制御ＩＣは各色のレーザダイオードに対して１対ずつ光ビーム制御基板上に配置されており、色ごとに光ビームの発光制御を行い各色の感光ドラムに光ビームを照射する。また、光ビーム制御基板から発生する放射ノイズを低減する手法として、光ビーム制御基板を金属などのノイズ遮蔽部材でシールドすることにより、放射ノイズを抑制することについて開示されている。
【先行技術文献】
【特許文献】
【０００５】
【特許文献１】特開２０１５−１１１６０
【発明の概要】
【発明が解決しようとする課題】
【０００６】
従来のように、レーザ制御基板から放射される放射ノイズを抑制させるためにノイズ遮蔽部材などを追加すると、装置が大型化してしまう可能性があるという課題があった。
【０００７】
本出願に係る発明は、以上のような状況に鑑みなされたものであり、装置の大型化を抑制しつつ、放射ノイズを抑制する装置を提供することを目的とする。
【課題を解決するための手段】
【０００８】
上記目的を達成するために、第１の発光手段と、第２の発光手段と、複数の辺からなり、夫々の辺に複数の端子を備える制御手段と、前記第１の発光手段と前記制御手段を接続するための第１の配線パターンが接続される第１の端子群と、前記第２の発光手段と前記制御手段を接続するための第２の配線パターンが接続される第２の端子群と、を備え、前記第１の端子群は、前記複数の辺のうち前記第１の発光手段に最も近い第１の辺に備えられ、前記第２の端子群は、前記複数の辺のうち前記第２の発光手段に最も近い第２の辺に備えられることを特徴とする。
【発明の効果】
【０００９】
本発明の構成によれば、装置の大型化を抑制しつつ、放射ノイズを抑制する装置を提供することができる。
【図面の簡単な説明】
【００１０】
【図１】画像形成装置の概略構成図
【図２】光学装置２１０の上面図
【図３】レーザダイオード２１１ｙを発光させるためのレーザ駆動システム回路
【図４】第１の実施形態における、レーザ制御基板上のレーザ制御ＩＣとレーザダイオードの配置構成を示した図
【図５】第１の実施形態における、レーザ制御基板上のレーザ制御ＩＣとレーザダイオードの配置構成を示した図
【図６】第２の実施形態における、レーザ制御基板上のレーザ制御ＩＣとレーザダイオードの配置構成を示した図
【図７】第２の実施形態における、レーザ制御基板上のレーザ制御ＩＣとレーザダイオードの配置構成を示した図
【図８】第３の実施形態における、レーザ制御基板上のレーザ制御ＩＣとレーザダイオードの配置構成を示した図
【図９】第４の実施形態における、レーザ制御基板上のレーザ制御ＩＣとレーザダイオードの配置構成を示した図
【図１０】従来例における、レーザ制御ＩＣとレーザダイオードの配置構成を示した図
【発明を実施するための形態】
【００１１】
以下、図面を用いて本発明の実施形態について説明する。なお、以下の実施形態は特許請求の範囲に係る発明を限定するものでなく、また実施形態で説明されている特徴の組合せの全てが発明の解決手段に必須のものとは限らない。
【００１２】
（第１の実施形態）
［画像形成装置］
図１は、本実施形態における画像形成装置の概略構成図である。カラーレーザビームプリンタである画像形成装置は、４色（Ｙ：イエロー、Ｍ：マゼンタ、Ｃ：シアン、Ｂｋ：ブラック）のトナー画像を重ね合わせてカラー画像を形成するために、各色に対応した画像形成部を備えている。
【００１３】
カラーレーザビームプリンタ２０１は、ホストコンピュータ２０２から画像データ２０３を入力されると、カラーレーザビームプリンタ２０１内のビデオコントローラ２０４で画像データを展開し、画像形成するための画像データへ変換する。そして、ビデオコントローラ２０４は、その画像データに基づいてレーザダイオードを発光制御するためのビデオ信号形式データである、ビデオ信号２０５を生成する。制御手段としてのエンジンコントローラ２０６はＣＰＵ２０９等の演算処理手段を有している。ビデオコントローラ２０４で生成されたビデオ信号２０５は、ビデオコントローラ２０４からエンジンコントローラ２０６に送信される。
【００１４】
光照射手段としての光学装置２１０内にあるレーザ制御基板２２５上に、レーザ制御ＩＣ（Ｉｎｔｅｇｒａｔｅｄ  Ｃｉｒｃｕｉｔ）２２６ａ、２２６ｂは配置されている。レーザ制御ＩＣ２２６ａ、２２６ｂにより複数の発光手段としてのレーザダイオード２１１ｙ、２１１ｍ、２１１ｃ、２１１ｋをビデオ信号に応じて駆動する。各レーザダイオードから出射されたレーザビーム２１２ｙ、２１２ｍ、２１２ｃ、２１２ｋは、回転多面鏡であるポリゴンミラー２０７の反射面で反射される。そして、レンズ２１３ｙ、２１３ｍ、２１３ｃ、２１３ｋを透過し、折り返しミラー２１４ｙ、２１４ｍ、２１４ｃ、２１４ｋにより偏向される。偏向された各レーザビームは、感光体としての感光ドラム２１５ｙ、２１５ｍ、２１５ｃ、２１５ｋ上に照射される。
【００１５】
感光ドラム２１５ｙ、２１５ｍ、２１５ｃ、２１５ｋは、帯電手段２１６ｙ、２１６ｍ、２１６ｃ、２１６ｋにより所望の電位に帯電される。帯電された感光ドラムにレーザビームを照射して表面電位を部分的に下げることにより、感光ドラム表面に静電潜像を形成する。形成した静電潜像を現像手段２１７ｙ、２１７ｍ、２１７ｃ、２１７ｋにより現像することで、感光ドラム上に静電潜像に応じたトナー画像が形成される。
【００１６】
感光ドラム上に形成されたトナー画像は、一次転写部材２１８ｙ、２１８ｍ、２１８ｃ、２１８ｋに一次転写バイアスが印加されることにより、中間転写体である無端状の中間転写ベルト２１９上に一次転写される。最初にイエローのトナー画像が中間転写ベルト２１９上に一次転写され、その上にマゼンタ、シアン、ブラックのトナー画像が順次転写され、カラー画像が形成される。中間転写ベルト２１９は、中間転写ベルト駆動ローラ２５６により駆動される。
【００１７】
給紙カセット２２０内に積載されている例えば紙である記録材２２１は、給紙ローラ２２２によって給紙される。そして、中間転写ベルト２１９上に一次転写されたカラー画像に同期するように二次転写部２２３へと搬送される。そして、二次転写ローラに二次転写バイアスが印加されることにより、記録材上にカラー画像が二次転写される。カラー画像が二次転写された記録材２２１は、定着器２２４にて熱と圧力により熱定着が行なわれ記録材上にカラー画像が定着される。そして、排紙部により排紙トレイに排紙される。以上が画像形成装置の概略の説明である。次に、光学装置の概略について説明を行い、その後にレーザ駆動システムの回路構成について詳細に説明をする。
【００１８】
［光学装置］
図２に光学装置２１０の上面図を示す。なお、光学装置２１０は各色で同じ構成であるため、ここでは説明の便宜上イエローステーションについて図示して説明をする。
【００１９】
レーザ制御基板２２５上に配置したレーザダイオード２１１ｙは、１つのパッケージ中に独立して発光可能な２つの発光部を有するツインビームレーザダイオード（以下、レーザダイオードとも呼ぶ）である。レーザダイオード２１１ｙより出射したレーザ光３０１ａ、３０１ｂは、コリメータレンズ３０２によりビーム形状が整形され、且つ平行ビームとされる。そして、回転するポリゴンミラー２０７により反射されて偏向走査される。偏向走査されたレーザ光３０１ａ、３０１ｂは、レンズ２１３ｙを透過したのちに、折り返しミラー２１４ｙで偏向され、感光ドラム２１５ｙを走査する。感光ドラム２１５ｙの表面上に結像されたレーザ光は、ドット状のスポットとなり、図中矢印で示した主走査方向ＳからＳ’（感光ドラム２１５ｙの回転軸方向に平行）に移動することで走査線を形成し、感光ドラム２１５ｙを露光する。
【００２０】
一方、感光ドラム２１５ｙ上の走査線の走査開始位置Ｓよりも主走査方向の上流側の位置にあるレーザ光が入射する位置にレンズ３０４が設けられており、このレンズに入射したレーザ光は集光されて検知手段としてのＢＤセンサ３０５に入射する。このＢＤ（Ｂｅａｍ  Ｄｅｔｅｃｔ）センサ３０５はレーザ光が入射したことを検知し、レーザ光に応じた水平同期信号であるＢＤ信号を出力する。このＢＤセンサ３０５からのＢＤ信号に基づいて、感光ドラム２１５ｙにおけるレーザ光の走査の開始タイミングが決定される。また、感光ドラム２１５ｙを走査した後で、次に再び感光ドラム２１５ｙを走査する前に、レーザ光量の自動光量制御であるＡＰＣ（Ａｕｔｏ  Ｐｏｗｅｒ  Ｃｏｎｔｒｏｌ）がレーザ制御ＩＣで行われる。そして、次の走査の為にレーザダイオード２１１ｙの発光光量（発光強度）が調整される。
【００２１】
［レーザ駆動システム回路図］
図３はレーザダイオード２１１ｙを発光させるためのレーザ駆動システム回路である。ここでは、まずイエロー用のレーザダイオード２１１ｙの片側のレーザダイオード２１１ｙａを発光させるための回路構成について説明をする。
【００２２】
エンジンコントローラ２０６は、ＡＳＩＣ、ＣＰＵ、ＲＡＭなどを内蔵しており、ビデオコントローラ２０４との通信や、破線で囲まれたレーザ制御ＩＣ２２６ａの駆動制御を行う。なお、レーザ制御ＩＣ２２６ａの図中の点線で囲まれた部分については、レーザ制御ＩＣ２２６ａに外部接続された回路を示している。
【００２３】
４０１ｙａはコンパレータ回路、４０２ｙａはサンプル／ホールド回路、４０３ｙａはレーザ制御ＩＣ２２６ａの端子に外部接続されたサンプルホールドコンデンサ（ＣＨコンデンサ）である。サンプルホールドコンデンサに充電された電荷はホールド電圧Ｖｃｈ＿ｙａとして電圧電流変換回路４０４ｙａに入力される。レーザ制御基準電流Ｉｒｓ＿ｙａは、レーザ電流制限抵抗（ＲＳ抵抗）４０５ｙａの抵抗値とホールド電圧Ｖｃｈ＿ｙａの値に応じて決定する。すなわち、ホールド電圧Ｖｃｈ＿ｙａは、レーザ制御基準電流Ｉｒｓ＿ｙａを決定するための設定電圧である。レーザ制御基準電流Ｉｒｓ＿ｙａが流れる配線は、レーザ制御基準電流Ｉｒｓ＿ｙａをレーザ駆動電流に増幅させるためのカレントミラー回路４０６ｙａに接続している。なお、レーザ電流制限抵抗４０５ｙａはレーザ制御ＩＣ２２６ａの端子に接続し、レーザ制御ＩＣ２２６ａの外部に接続されている。
【００２４】
ビデオコントローラ２０４から差動信号として出力されるＶＩＤＥＯ信号２０５ｙａは、エンジンコントローラ２０６を経由してレーザ制御ＩＣ２２６ａに入力される。入力されたＶＩＤＥＯ信号２０５ｙａは、差動レシーバ４０７ｙａを介してＤＡＴＡ＿ｙａ信号に変換される。変換されたＤＡＴＡ＿ｙａ信号は、スイッチング回路４０８ｙａに入力される。スイッチング回路４０８ｙａは、ＤＡＴＡ＿ｙａ信号に応じてレーザ駆動電流ＩＬＤ＿ｙａのオンオフ制御を行う。なお、ここではＶＩＤＥＯ信号２０５ｙａは、エンジンコントローラ２０６を経由する一例を説明したが、ビデオコントローラ２０４から直接レーザ制御ＩＣ２２６ａに入力されてもよい。
【００２５】
スイッチング回路４０８ｙａは、レーザダイオード２１１ｙの片側のレーザ素子２１１ｙａのカソード端子に接続されており、レーザ素子２１１ｙａにレーザ駆動電流ＩＬＤ＿ｙａを流すことでレーザ素子２１１ｙａを発光させる。なお、レーザ素子２１１ｙａのアノード端子は電源ＶＣＣに接続されている。
【００２６】
レーザ素子２１１ｙａの発光光量をモニタするフォトダイオード（以下、ＰＤとも呼ぶ）４０９ｙのカソード端子は、電源ＶＣＣに接続されている。ＰＤ４０９ｙのアノード端子は電流電圧変換回路４１０ｙに接続されており、モニタ電流Ｉｍ＿ｙａをモニタ電流検知抵抗（以下、ＲＭ抵抗とも呼ぶ）４１１ｙａに流すことにより、モニタ電圧Ｖｍ＿ｙａを発生させている。このモニタ電圧Ｖｍ＿ｙａはコンパレータ回路４０１ｙａの正端子に入力されており、レーザ素子２１１ｙａの発光光量のフィードバック制御に用いられている。
【００２７】
レーザ素子２１１ｙａの発光光量の設定は、前述の通りホールド電圧Ｖｃｈ＿ｙａにより切り替えを行う。ホールド電圧Ｖｃｈ＿ｙａの設定は、以下のように行われる。エンジンコントローラ２０６から出力されるＰＷＭ信号がレーザ制御ＩＣ２２６ａのＰＷＭ入力端子に入力され、ＰＷＭ回路４１３ｙで電圧変換される。その後、変換された電圧がコンパレータ回路４０１ｙａの負端子側に入力されることで、ホールド電圧Ｖｃｈ＿ｙａの設定が行われる。
【００２８】
エンジンコントローラ２０６から出力される複数のコントロール信号ＣＮＴＲＬは、レーザ制御ＩＣ２２６ａのコントロール信号端子から入力され、ロジック回路４１２ｙへと入力される。ロジック回路４１２ｙは、サンプル／ホールド回路４０２ｙａの切替制御や、ＰＤ４０９ｙによるフィードバック回路である電流電圧変換回路４１０ｙの切替制御を行う。
【００２９】
ここでは、レーザダイオード２１１ｙの片側のレーザ素子２１１ｙａの制御に係る構成について説明した。同一レーザダイオードパッケージ内の他方のレーザ素子である２１１ｙｂの制御に係る構成についても同様のため、ここでの説明は省略する。また、レーザ制御ＩＣ２２６ａは、ひとつのＩＣパッケージ中にもうひとつのレーザダイオード２１１ｍを発光させるための駆動制御回路が実装されている。回路構成および動作仕様は、前述のイエロー用レーザダイオード２１１ｙの駆動制御構成と同様であるため、ここでの詳細説明および図４への図示は省略している。また、一例としてアノードコモンタイプのレーザダイオードの構成について説明したが、カソードコモンタイプのレーザダイオードであってもよい。
【００３０】
［レーザ制御ＩＣとレーザダイオードの配置］
次に、レーザ制御基板上のレーザ制御ＩＣとレーザダイオードの配置構成について、図４を用いて説明する。レーザダイオードは、イエロー用レーザダイオード２１１ｙ、マゼンタ用レーザダイオード２１１ｍ、シアン用レーザダイオード２１１ｃ、ブラック用レーザダイオード２１１ｋがレーザ制御基板２２５上に夫々独立して配置される。また、各レーザダイオードは、前述の通り１つのレーザダイオードの中に二つの発光素子としてのレーザ素子をもつツインビームレーザである。各レーザダイオードは、４つの端子を有している。一例としてイエロー用のレーザダイオード２１１ｙについて説明をする。レーザダイオード２１１ｙは、以下の端子から構成されている。第１のレーザ素子のカソード端子２１１＿ｌｄ１、第２のレーザ素子のカソード端子２１１＿ｌｄ２、フォトダイオードのアノード端子２１１＿ｐｄ、レーザ素子のアノード端子及びフォトダイオードのカソード端子の共通電源である電源供給端子２１１＿ｃｏｍ。
【００３１】
レーザ制御基板２２５上には、レーザ制御基板２２５とエンジンコントローラ２０６とを接続するインタフェースコネクタ１０９、１１０や、ＢＤセンサ３０５も配置されている。さらに、レーザ制御ＩＣ２２６ａ、２２６ｂも配置されている。レーザ制御ＩＣ２２６ａは、一つのＩＣで異なる二つのレーザダイオード２１１ｙ、２１１ｍを制御する。また、レーザ制御ＩＣ２２６ｂも、一つのＩＣで異なる二つのレーザダイオード２１１ｃ、２１１ｋを制御する。
【００３２】
レーザ制御ＩＣ２２６ａ、２２６ｂは、複数の端子を有する電子部品であり、以下のような端子などで構成されている。レーザダイオードに流す駆動電流を制御するＬＤ端子、ＰＤの受光光量をモニタするＰＤ端子、レーザの駆動電流をグランドに流し込むためのＬＤＧＮＤ端子。レーザ基準電流を制限するＲＳ抵抗に接続するためのＲＳ端子、ＰＤからのモニタ電流をＩ／Ｖ変換するためのＲＭ抵抗へと接続するＲＭ端子、レーザの光量を一定光量に保つためのホールドコンデンサに接続するためのＣＨ端子。レーザドライバＩＣの動作モードを制御するためのＣＮＴＲＬ端子、コントローラからのＶＩＤＥＯ信号を入力するためのＶＩＤＥＯ端子、レーザ制御ＩＣへの電源供給を行うための電源ＶＣＣ，ＧＮＤ端子。
【００３３】
次に、レーザ制御ＩＣ２２６ａとレーザダイオード２１１ｙ、２１１ｍの配置構成について説明をする。なお、ここでは一例としてレーザ制御ＩＣ２２６ａとレーザダイオード２１１ｙ、２１１ｍの配置構成について説明するが、レーザ制御ＩＣ２２６ｂとレーザダイオード２１１ｃ、２１１ｋの配置構成についても同様の構成であるため、詳しい説明は省略する。
【００３４】
まず、レーザ制御ＩＣ２２６ａと第１の発光手段としてのイエロー用レーザダイオード２１１ｙとを接続するＬＤ端子、ＰＤ端子、およびＬＤＧＮＤ端子を第１の端子群１０１とする。第１の端子群１０１は、画像形成中に感光ドラム２１５ｙ上に静電潜像を形成すべくレーザを発光するためのものである。特にＬＤ端子、ＬＤＧＮＤ端子には数十ｍＡ程度の電流を流し、且つビデオコントローラ２０４から送られてくるＶＩＤＥＯ信号に応じて数ｎｓｅｃオーダーの高速スイッチングを行う端子群である。つまり、第１の端子群１０１に接続された第１の配線パターンは、高い放射ノイズを発生する配線パターンとなる。すなわち、第１の端子群１０１とイエロー用レーザダイオード２１１ｙを接続する配線パターンが放射ノイズのアンテナ源とならないように配線パターンを極力短くする。これにより、レーザ制御基板２２５から発生する放射ノイズを大幅に低減することが可能となる。
【００３５】
次に、イエロー用レーザダイオード２１１ｙの発光制御のために使用するイエロー用レーザダイオード２１１ｙに直接接続しないＲＳ端子、ＲＭ端子、ＣＨ端子、ＣＮＴＲＬ端子、ＶＩＤＥＯ端子、ＶＣＣ端子、ＧＮＤ端子等を第３の端子群１０３とする。第３の端子群１０３は、第１の端子群１０１に比べて各端子からの放射ノイズのレベルが低い端子である。より具体的には、ＲＳ端子、ＲＭ端子は、ビデオコントローラ２０４から送られてくるＶＩＤＥＯ信号に応じて高速スイッチングは行う。しかし、数十ｕＡ程度しか電流を流さない端子であるため、第３の端子群１０３に接続される第３の配線パターンの放射ノイズのレベルは極めて低い。また、ＣＨ端子はレーザ光量を一定にするために画像形成中においては電圧レベルが一定値となっている端子であるため、放射ノイズのレベルは同様に極めて低い。また、ＶＩＤＥＯ端子は高速スイッチングを行う信号が伝送されるものの、差動信号端子となっているため、放射ノイズのレベルは前述のレーザ駆動電流からの放射レベルと比較して低く抑えられている。
【００３６】
次に、レーザ制御ＩＣ２２６ａと、第２の発光手段としてのマゼンタ用レーザダイオード２１１ｍとを接続するＬＤ端子、ＰＤ端子、およびＬＤＧＮＤ端子を第２の端子群１０２とする。第２の端子群１０２は、画像形成中に感光ドラム２１５ｍ上に静電潜像を形成すべくレーザを発光するためのものである。特にＬＤ端子、ＬＤＧＮＤ端子には数十ｍＡ程度の電流を流し、且つビデオコントローラ２０４から送られてくるＶＩＤＥＯ信号に応じて数ｎｓｅｃオーダーの高速スイッチングを行う端子群である。つまり、第２の端子群１０２に接続された第２の配線パターンは、高い放射ノイズを発生する配線パターンとなる。すなわち、第２の端子群１０２とマゼンタ用レーザダイオード２１１ｍを接続する配線パターンが放射ノイズのアンテナ源とならないように配線パターンを極力短くする。これにより、レーザ制御基板２２５から発生する放射ノイズを大幅に低減することが可能となる。
【００３７】
次に、マゼンタ用レーザダイオード２１１ｍの発光制御のために使用するマゼンタ用レーザダイオード２１１ｍに直接接続しないＲＳ端子、ＲＭ端子、ＣＨ端子、ＣＮＴＲＬ端子、ＶＩＤＥＯ端子、ＶＣＣ端子、ＧＮＤ端子等を第４の端子群１０４とする。第４の端子群１０４は、第２の端子群１０２に比べて各端子からの放射ノイズのレベルが低い端子である。より具体的には、ＲＳ端子、ＲＭ端子は、ビデオコントローラ２０４から送られてくるＶＩＤＥＯ信号に応じて高速スイッチングは行う。しかし、数十ｕＡ程度しか電流を流さない端子であるため、第４の端子群１０４に接続される第４の配線パターンの放射ノイズのレベルは極めて低い。また、ＣＨ端子はレーザ光量を一定にするために画像形成中においては電圧レベルが一定値となっている端子であるため、放射ノイズのレベルは同様に極めて低い。また、ＶＩＤＥＯ端子は高速スイッチングを行う信号が伝送されるものの、差動信号端子となっているため、放射ノイズのレベルは前述のレーザ駆動電流からの放射レベルと比較して低く抑えられている。
【００３８】
次に、レーザ制御ＩＣ２２６ａと第１の端子群１０１乃至第４の端子群１０４、イエロー用レーザダイオード２１１ｙ、マゼンタ用レーザダイオード２１１ｍの配置構成について説明する。具体的には、第１の端子群１０１は、第３の端子群１０３に対してイエロー用レーザダイオード２１１ｙにより近接する位置になるように、レーザ制御ＩＣ２２６ａの端子を配置する。また、第２の端子群１０２は、第４の端子群１０４に対してマゼンタ用レーザダイオード２１１ｍにより近接する位置になるように、レーザ制御ＩＣ２２６ａの端子を配置する。
【００３９】
さらに、イエロー用レーザダイオード２１１ｙ、マゼンタ用レーザダイオード２１１ｍに対して配線パターンをより短い距離で接続するために、図５に示すようにレーザ制御ＩＣ２２６ａを配置する。具体的には、イエロー用レーザダイオード２１１ｙとマゼンタ用レーザダイオード２１１ｍの中点を結んだ直線Ａ−Ａ’と、レーザ制御ＩＣ２２６ａのＩＣパッケージの一辺Ｂ−Ｂ’とが平行にならないようにする。このようにレーザ制御ＩＣ２２６ａを配置することにより、第１の端子群１０１が配置された第１の辺をイエロー用レーザダイオード２１１ｙの近くに配置することが可能となる。さらに、第２の端子群１０２が配置された第２の辺をマゼンタ用レーザダイオード２１１ｍの近くに配置することが可能となる。
【００４０】
このような配置とすることにより、レーザ駆動用の端子である第１の端子群１０１および第２の端子群１０２を夫々に対応するレーザダイオードに近付ける構成とでき、配線パターンを短くすることができる。配線パターンが短くなることで、放射ノイズを低減することができる。さらに、レーザ制御ＩＣ２２６ａの第１の端子群１０１および第２の端子群１０２をレーザ制御ＩＣ２２６ａの第１の角となる位置に配置する。これにより、さらに端子群をレーザダイオードに近接させることができるため、放射ノイズを低減することができる。また、第一の端子群１０１と第２の端子群１０２を夫々に対応するレーザダイオードに近づける構成とすることで、レーザ制御基板２２５を効率的に使用することができる。よって、第３の端子群１０３および第４の端子群１０４に接続する抵抗やコンデンサなどの関連部品をレーザ制御基板２２５上に効率よく配置することができる。
【００４１】
なお、シアン用レーザダイオード２１１ｃ、ブラック用レーザダイオード２１１ｋおよびレーザ制御ＩＣ２２６ｂの配置構成についても、イエロー用レーザダイオード２１１ｙ、マゼンタ用レーザダイオード２１１ｍおよびレーザ制御ＩＣ２２６ａと同様である。よって、説明の便宜上、以下では第３の発光手段としてのシアン用レーザダイオード２１１ｃ、第４の発光手段としてのブラック用レーザダイオード２１１ｋの詳細な説明は省略し、簡略に説明する。シアン用レーザダイオード２１１ｃに接続している第５の端子群１０５は、接続していない第７の端子群１０７に対してシアン用レーザダイオード２１１ｃにより近接する位置になるように、レーザ制御ＩＣ２２６ｂの端子を配置する。つまり、第５の端子群に接続する第５の配線パターンを短くすることができる。また、第７の端子群１０７に接続する第７の配線パターンの放射ノイズのレベルは極めて低い。よって、このような配置にすることで、放射ノイズを低減することができる。
【００４２】
また、ブラック用レーザダイオード２１１ｋに接続している第６の端子群１０６は、接続していない第８の端子群１０８に対してブラック用レーザダイオード２１１ｋにより近接する位置になるように、レーザ制御ＩＣ２２６ｂの端子を配置する。つまり、第６の端子群に接続する第６の配線パターンを短くすることができる。また、第８の端子群１０８に接続する第８の配線パターンの放射ノイズのレベルは極めて低い。よって、このような配置にすることで、放射ノイズを低減することができる。
【００４３】
また、ここでは一例としてツインビームのレーザダイオードを接続した構成について説明したがこれに限られるものではない。レーザ制御ＩＣに接続するダイオードはシングルビームのレーザダイオードや、クワッドビームのレーザダイオードなどであってもよい。また、ここでは一例としてイエロー用レーザダイオード２１１ｙ及びマゼンタ用レーザダイオード２１１ｍをレーザ制御ＩＣ２２６ａに接続した。また、シアン用レーザダイオード２１１ｃ及びブラック用レーザダイオード２１１ｋをレーザ制御ＩＣ２２６ｂに接続した。しかし、これに限られるものではなく、各色とレーザ制御ＩＣの組合せは如何様であってもよい。
【００４４】
このように、複数の異なる色用のレーザダイオードを一つのレーザ制御ＩＣにより駆動制御することで、レーザ制御基板上の部品実装面積を減らすことができるため、レーザ制御基板の小型化が可能となる。また、放射ノイズのレベルが高いレーザ駆動電流端子を各色用のレーザダイオードに近接するようにレーザ制御ＩＣを配置することにより、放射ノイズを抑制することが可能となる。その結果、レーザ制御基板上に放射ノイズを低減するためのフィルタ回路、ノイズ遮蔽部材等を配置することなく、又は必要最小限だけ配置するような構成とすることができる。よって、レーザ制御基板を小型化するとともに、光学装置の小型化も実現することがきる。
【００４５】
近年、画像形成装置においては、装置の小型化が要望されている。画像形成装置のように、複数の感光ドラムをそれぞれ露光させることにより画像を形成する構成において、従来においては図１０のような構成とすることがあった。レーザ制御基板１００１上には、感光ドラムの数に応じた複数のレーザダイオード２１１ｙ、２１１ｍ、２１１ｃ、２１１ｋが配置される。さらに、これらのレーザダイオードを発光制御するためのレーザ制御ＩＣ１００２ｙ、１００２ｍ、１００２ｃ、１００２ｋが、各レーザダイオードに応じて配置される。そのため、レーザ制御基板のサイズは、レーザダイオード、及びレーザ制御ＩＣの数が多いほど大型化する傾向にあった。上述した、本実施形態のような配置構成とすることで、複数の異なる色用のレーザダイオードを一つのレーザ制御ＩＣにより駆動制御することで、レーザ制御基板上の部品実装面積を減らすことができるため、レーザ制御基板の小型化が可能となる。また、複数のレーザダイオードとレーザ制御ＩＣの配置を、レーザ制御ＩＣから複数のレーザダイオードを繋ぐ配線パターン長が短くなるようにしているため、配線パターンから放射される放射ノイズを低減することができる。
【００４６】
（第２の実施形態）
第１の実施形態においては、第１の端子群１０１、及び第２の端子群１０２をレーザ制御ＩＣ２２６ａの一つの角に隣接させて配置する構成について説明をした。本実施形態においては、第１の端子群１０１、及び第２の端子群１０２の配置が第１の実施形態とは異なる構成を説明する。なお、画像形成装置の構成やレーザ制御ＩＣ等、先の第１の実施形態と同様の構成については、ここでの詳しい説明を省略する。
【００４７】
［レーザ制御ＩＣとレーザダイオードの配置］
図６は、本実施形態におけるレーザ制御基板上のレーザ制御ＩＣとレーザダイオードの配置構成を示した図である。より具体的には、イエロー用レーザダイオード２１１ｙ、マゼンタ用レーザダイオード２１１ｍが、光学設計上レーザ制御ＩＣ２２６ａの１辺の長さよりも十分に離れた位置に配置してある構成について示している。
【００４８】
先の第１の実施形態と同様に、第１の端子群６０１は、レーザ制御ＩＣ２２６ａと、イエロー用レーザダイオード２１１ｙとを接続するＬＤ端子、ＰＤ端子、およびＬＤＧＮＤ端子とする。また、第３の端子群６０３は、イエロー用レーザダイオード２１１ｙの発光制御のために使用するイエロー用レーザダイオード２１１ｙに直接接続しないＲＳ端子、ＲＭ端子、ＣＨ端子、ＣＮＴＲＬ端子、ＶＩＤＥＯ端子、ＶＣＣ端子、ＧＮＤ端子等とする。また、第２の端子群６０２は、レーザ制御ＩＣ２２６ａと、マゼンタ用レーザダイオード２１１ｍとを接続するＬＤ端子、ＰＤ端子、およびＬＤＧＮＤ端子とする。第４の端子群６０４は、マゼンタ用レーザダイオード２１１ｍの発光制御のために使用するマゼンタ用レーザダイオード２１１ｍに直接接続していないＲＳ端子、ＲＭ端子、ＣＨ端子、ＣＮＴＲＬ端子、ＶＩＤＥＯ端子、ＶＣＣ端子、ＧＮＤ端子等とする。
【００４９】
次に、第１の端子群６０１の配置について説明する。第１の端子群６０１が配置されるレーザ制御ＩＣ２２６ａの一辺の直線Ｄ−Ｄ’に対する仮想線である垂線Ｃ−Ｃ’をひく。そして、レーザ制御ＩＣ２２６ａの一辺Ｄ−Ｄ’とイエロー用レーザダイオード２１１ｙの中心点とを結ぶ垂線Ｃ−Ｃ’が交わる交点に最も近い端子を含む端子群を第１の端子群６０１とする。つまり、レーザ制御ＩＣ２２６ａとイエロー用レーザダイオード２１１ｙを結ぶ配線パターンの長さが短くなるような位置に第１の端子群６０１を配置するといえる。
【００５０】
同様にして、第２の端子群６０２の配置について説明する。第２の端子群６０２が配置されるレーザ制御ＩＣ２２６ａの一辺の直線Ｆ−Ｆ’に対する仮想線である垂線Ｅ−Ｅ’をひく。そして、レーザ制御ＩＣ２２６ａの一辺Ｆ−Ｆ’とマゼンタ用レーザダイオード２１１ｍの中心点とを結ぶ垂線Ｅ−Ｅ’が交わる交点に最も近い端子を含む端子群を第２の端子群６０２とする。つまり、レーザ制御ＩＣ２２６ａとマゼンタ用レーザダイオード２１１ｍを結ぶ配線パターンの長さが短くなるような位置に第２の端子群６０２を配置するといえる。また、このような配置とすることで、レーザ制御ＩＣ２２６ａは、イエロー用レーザダイオード２１１ｙとマゼンタ用レーザダイオード２１１ｍから等距離となる位置に配置されるともいうことができる。
【００５１】
また、図７は、先の図６とは異なるレーザ制御基板上のレーザ制御ＩＣとレーザダイオードの配置構成を示した図である。図７においては、レーザ制御ＩＣ２２６ａの第１の辺と第２の辺からなる第１の角に、第１の端子群７０１を配置する。さらに、レーザ制御ＩＣ２２６ａの第２の辺と第３の辺からなる第２の角に、第２の端子群７０２を配置する。レーザ制御ＩＣ２２６ａの第１の角と、イエロー用レーザダイオード２１１ｙが近接する位置関係にあるため、第１の角に近い端子群を第１の端子群７０１とする。これにより、第１の端子群７０１に接続する第１の配線パターンを、第３の端子群７０３に接続する第３の配線パターンより短くすることができる。同様に、レーザ制御ＩＣ２２６ａの第２の角と、マゼンタ用レーザダイオード２１１ｍが近接する位置関係にあるため、第２の角に近い端子群を第２の端子群７０２とする。これにより、第２の端子群７０２に接続する第２の配線パターンを、第４の端子群７０４に接続する第４の配線パターンより短くすることができる。
【００５２】
このように、レーザ制御ＩＣとレーザダイオードとの配置関係に応じて、レーザ制御ＩＣとレーザダイオードを繋ぐ配線パターンの端子を適切に配置することで、配線パターンを短くすることができる。よって、放射ノイズを抑制することが可能となる。なお、シアン用レーザダイオード２１１ｃ、ブラック用レーザダイオード２１１ｋおよびレーザ制御ＩＣ２２６ｂの配置構成については、説明の便宜上、詳細な説明は省略する。第１の実施形態と同様に、イエロー用レーザダイオード２１１ｙ、マゼンタ用レーザダイオード２１１ｍおよびレーザ制御ＩＣ２２６ａと同様の構成のためである。
【００５３】
（第３の実施形態）
第１の実施形態においては、第１の端子群１０１、及び第２の端子群１０２をレーザ制御ＩＣ２２６ａの一つの角に隣接させて配置する構成について説明をした。本実施形態においては、第１の端子群１０１、及び第２の端子群１０２の配置が第１の実施形態とは異なる構成を説明する。なお、画像形成装置の構成やレーザ制御ＩＣ等、先の第１の実施形態と同様の構成については、ここでの詳しい説明を省略する。
【００５４】
［レーザ制御ＩＣとレーザダイオードの配置］
図８は、本実施形態におけるレーザ制御基板上のレーザ制御ＩＣとレーザダイオードの配置構成を示した図である。８０１は、レーザ制御ＩＣ２２６ａのグランド端子であり、８０２は、グランド端子に接続したレーザ制御基板上のグランドプレーンである。
【００５５】
先の第１の実施形態と同様に、第１の端子群８０３は、レーザ制御ＩＣ２２６ａと、イエロー用レーザダイオード２１１ｙとを接続するＬＤ端子、ＰＤ端子、およびＬＤＧＮＤ端子とする。また、第３の端子群８０５は、イエロー用レーザダイオード２１１ｙの発光制御のために使用するイエロー用レーザダイオード２１１ｙに直接接続していないＲＳ端子、ＲＭ端子、ＣＨ端子、ＣＮＴＲＬ端子、ＶＩＤＥＯ端子、ＶＣＣ端子、ＧＮＤ端子等とする。また、第２の端子群８０４は、レーザ制御ＩＣ２２６ａと、マゼンタ用レーザダイオード２１１ｍとを接続するＬＤ端子、ＰＤ端子、およびＬＤＧＮＤ端子とする。第４の端子群８０６は、マゼンタ用レーザダイオード２１１ｍの発光制御のために使用するマゼンタ用レーザダイオード２１１ｍに直接接続していないＲＳ端子、ＲＭ端子、ＣＨ端子、ＣＮＴＲＬ端子、ＶＩＤＥＯ端子、ＶＣＣ端子、ＧＮＤ端子等とする。
【００５６】
先の第１の実施形態においては、レーザ制御ＩＣ２２６ａの一つの角を挟んで第一の端子群１０１と第２の端子群１０２が隣接するように配置されていた。本実施形態においては、第１の端子群８０３と第２の端子群８０４の間の端子をグランド端子８０１とする。グランド端子８０１をレーザ制御ＩＣ２２６ａの第１の端子群８０３と第２の端子群８０４の間に配置することで、レーザ制御基板上にレーザ制御ＩＣ２２６ａのグランドプレーン８０２を広く取ることができる。よって、レーザ制御基板のグランドレベルが安定し、放射ノイズを抑制することができる。なお、シアン用レーザダイオード２１１ｃ、ブラック用レーザダイオード２１１ｋおよびレーザ制御ＩＣ２２６ｂの配置構成については、説明の便宜上、詳細な説明は省略する。第１の実施形態と同様に、イエロー用レーザダイオード２１１ｙ、マゼンタ用レーザダイオード２１１ｍおよびレーザ制御ＩＣ２２６ａと同様の構成のためである。
【００５７】
（第４の実施形態）
第１の実施形態乃至第３の実施形態においては、一つのレーザ制御ＩＣで二つのレーザダイオードを制御する構成について説明した。本実施形態においては、一つのレーザ制御ＩＣで四つのレーザダイオードを制御する構成について説明する。なお、画像形成装置の構成やレーザ制御ＩＣ等、先の第１の実施形態と同様の構成については、ここでの詳しい説明を省略する。
【００５８】
［レーザ制御ＩＣとレーザダイオードの配置］
図９は、本実施形態におけるレーザ制御基板上のレーザ制御ＩＣとレーザダイオードの配置構成を示した図である。本実施形態においては、レーザ制御ＩＣ９０９によって、各レーザダイオード２１１ｙ、２１１ｍ、２１１ｃ、２１１ｋが制御される。
【００５９】
先の第１の実施形態と同様に、第１の端子群９０１は、レーザ制御ＩＣ９０９と、イエロー用レーザダイオード２１１ｙとを接続するＬＤ端子、ＰＤ端子、およびＬＤＧＮＤ端子とする。また、第３の端子群９０３は、イエロー用レーザダイオード２１１ｙの発光制御のために使用するイエロー用レーザダイオード２１１ｙに直接接続しないＲＳ端子、ＲＭ端子、ＣＨ端子、ＣＮＴＲＬ端子、ＶＩＤＥＯ端子、ＶＣＣ端子、ＧＮＤ端子等とする。また、第２の端子群９０２は、レーザ制御ＩＣ９０９と、マゼンタ用レーザダイオード２１１ｍとを接続するＬＤ端子、ＰＤ端子、およびＬＤＧＮＤ端子とする。第４の端子群９０４は、マゼンタ用レーザダイオード２１１ｍの発光制御のために使用するマゼンタ用レーザダイオード２１１ｍに直接接続しないＲＳ端子、ＲＭ端子、ＣＨ端子、ＣＮＴＲＬ端子、ＶＩＤＥＯ端子、ＶＣＣ端子、ＧＮＤ端子等とする。
【００６０】
また、第５の端子群９０５は、レーザ制御ＩＣ９０９と、シアン用レーザダイオード２１１ｃとを接続するＬＤ端子、ＰＤ端子、およびＬＤＧＮＤ端子とする。また、第７の端子群９０７は、シアン用レーザダイオード２１１ｃの発光制御のために使用するシアン用レーザダイオード２１１ｃに直接接続しないＲＳ端子、ＲＭ端子、ＣＨ端子、ＣＮＴＲＬ端子、ＶＩＤＥＯ端子、ＶＣＣ端子、ＧＮＤ端子等とする。また、第７の端子群９０７は、レーザ制御ＩＣ９０９と、ブラック用レーザダイオード２１１ｋとを接続するＬＤ端子、ＰＤ端子、およびＬＤＧＮＤ端子とする。第８の端子群９０８は、ブラック用レーザダイオード２１１ｋの発光制御のために使用するブラック用レーザダイオード２１１ｋに直接接続しないＲＳ端子、ＲＭ端子、ＣＨ端子、ＣＮＴＲＬ端子、ＶＩＤＥＯ端子、ＶＣＣ端子、ＧＮＤ端子等とする。
【００６１】
本実施形態においては、第１の端子群９０１、第２の端子群９０２、第５の端子群９０５、第６の端子群９０６は、それぞれ第３の端子群９０３、第４の端子群９０４、第７の端子群９０７、第８の端子群９０８よりも、各レーザダイオードに近接する。なお、図９においては、先の第１の実施形態のようにレーザ制御ＩＣ９０９の一方の角に第１の端子群９０１及び第２の端子群９０２を配置し、他方の角に第５の端子群９０５及び第６の端子群９０６を配置する構成を示している。このほかに、例えば第２の実施形態のようにレーザ制御ＩＣ９０９と各レーザダイオード及び各端子群を配置してもよいし、第３の実施形態のように配置してもよい。また、第１の実施形態でも説明したように、一例としてツインビームのレーザダイオードを接続した構成について説明したがこれに限られるものではない。レーザ制御ＩＣに接続するダイオードはシングルビームのレーザダイオードや、クワッドビームのレーザダイオードなどであってもよい。
【００６２】
このように、一つのレーザ制御ＩＣ９０９で４つのレーザダイオード２１１ｙ、２１１ｍ、２１１ｃ、２１１ｋを制御する構成においても、レーザ制御ＩＣ９０９と各レーザダイオードを接続する配線パターンを短くすることができる。よって、レーザ制御基板の小型化が可能となる。また、放射ノイズを抑制することができる。
【符号の説明】
【００６３】
１０１  第１の端子群
１０２  第２の端子群
１０３  第３の端子群
１０４  第４の端子群
２１１ｙ  イエロー用レーザダイオード
２１１ｍ  マゼンタ用レーザダイオード
２１１ｃ  シアン用レーザダイオード
２１１ｋ  ブラック用レーザダイオード
２２６ａ、２２６ｂ  レーザ制御ＩＣ
【図１】
2019009393.tif 000003
【図２】
2019009393.tif 000004
【図３】
2019009393.tif 000005
【図４】
2019009393.tif 000006
【図５】
2019009393.tif 000007
【図６】
2019009393.tif 000008
【図７】
2019009393.tif 000009
【図８】
2019009393.tif 000010
【図９】
2019009393.tif 000011
【図１０】
2019009393.tif 000012